(57)【要約】【課題】本発明は、表示品質を改善した液晶表示装置を提供する。【解決手段】この液晶表示装置は、基板１１７と、基板１１７の一面にマトリクス状に形成されて複数のセル領域を区画するブラックマトリクス１１５と、セル領域に形成される第１厚さの赤色カラーフィルターＲ、第１厚さより厚い第２厚さの緑色カラーフィルターＧ及び第２厚さより厚い第３厚さの青色カラーフィルターＢを含むカラーフィルター層１１３と、カラーフィルターＲ、Ｇ、Ｂ及びブラックマトリクス１１５上に重合性液晶をコーティングして硬化させることによって、基板１１７を平坦化させる第１補償層１１１とを含む。【選択図】図３
2008009436.tif 000002
【特許請求の範囲】
【請求項１】
基板と、
前記基板の一面にマトリクス状に形成されて複数のセル領域を区画するブラックマトリクスと、
前記セル領域に形成される第１厚さの赤色カラーフィルター、前記第１厚さより厚い第２厚さの緑色カラーフィルター及び第２厚さより厚い第３厚さの青色カラーフィルターを含むカラーフィルター層と、
前記カラーフィルター及びブラックマトリクス上に重合性液晶をコーティングして硬化させることによって、前記基板を平坦化させる第１補償層と
を含む液晶表示装置。
【請求項２】
前記第１補償層は、ポジティブＣ−プレートを含むことを特徴とする請求項１に記載の液晶表示装置。
【請求項３】
前記赤色カラーフィルター及び前記緑色カラーフィルターの間の段差は、０．１μｍ以上、０．３μｍ以下であり、前記緑色カラーフィルター及び前記青色カラーフィルターの間の段差は、０．２μｍ以上、０．４μｍ以下であることを特徴とする請求項２に記載の液晶表示装置。
【請求項４】
前記赤色カラーフィルターに対応する前記第１補償層の厚さは、前記緑色カラーフィルターに対応する前記第１補償層の厚さの１．１倍以上、１．３倍以下であることを特徴とする請求項２に記載の液晶表示装置。
【請求項５】
前記青色カラーフィルターに対応する前記第１補償層の厚さは、前記緑色カラーフィルターに対応する前記第１補償層の厚さの０．７倍以上、０．９倍以下であることを特徴とする請求項２に記載の液晶表示装置。
【請求項６】
前記赤色カラーフィルターに対応する前記第１補償層の厚さは、１．６０μｍ以上、１．７０μｍ以下であることを特徴とする請求項２に記載の液晶表示装置。
【請求項７】
前記緑色カラーフィルターに対応する前記第１補償層の厚さは、１．３５μｍ以上、１．４５μｍ以下であることを特徴とする請求項２に記載の液晶表示装置。
【請求項８】
前記青色カラーフィルターに対応する前記第１補償層の厚さは、１．１０μｍ以上、１．２０μｍ以下であることを特徴とする請求項２に記載の液晶表示装置。
【請求項９】
前記基板の他面にはＡ−プレートあるいは二軸延伸フィルムのうち、いずれか１つからなる第２補償層を備えることを特徴とする請求項２に記載の液晶表示装置。
【請求項１０】
前記第２補償層上に上部偏光板を備えることを特徴とする請求項９に記載の液晶表示装置。
【発明の詳細な説明】
【技術分野】
【０００１】
本発明は、液晶表示装置に関し、特に、表示品質を改善した液晶表示装置に関する。
【背景技術】
【０００２】
液晶表示装置は、電界を用いて液晶の光透過率を調節することによって画像を表示するようになる。
【０００３】
図１は、従来の液晶表示装置の一例を概略的に示す図である。図１では、薄膜トランジスタパネル２０についての詳細な図示は、省略した。
【０００４】
図１を参照すると、従来の液晶表示装置は、互いに対向して合着された薄膜トランジスタパネル２０及びカラーフィルターパネル５と、両パネル２０、５の間に設けられる液晶空間に満たされた液晶分子１０とを備える。
【０００５】
そして、カラーフィルターパネル５及び薄膜トランジスタパネル２０の外部面には、下部偏光板１及び上部偏光板３が取り付けられる。
【０００６】
一般的に、液晶表示装置の下部偏光板１及び上部偏光板３の光透過軸は、互いに直交し、下部偏光板１及び上部偏光板３のそれぞれは、自己の光透過軸と平行する光のみを透過させる。
【０００７】
薄膜トランジスタパネル２０は、下部基板上に形成されたゲートライン、ゲートラインと交差して画素領域を定義するデータラインを含む。そして、画素領域には、スイッチング素子である薄膜トランジスタ、薄膜トランジスタと接続された画素電極、及び画素電極と電界を形成するための共通電極が形成される。
【０００８】
前記の画素電極と共通電極との間に電界が形成されると、薄膜トランジスタパネル２０とカラーフィルターパネル５との間に配列された液晶分子１０は、誘電異方性によって回転される。このような液晶分子１０の回転程度に応じて、画素領域を透過する光透過率が異なることによって、画像を表示するようになる。
【０００９】
カラーフィルターパネル５は、基板１７と、基板１７上に順次形成されたブラックマトリクス１５及びカラーフィルター層１３を含む。
【００１０】
ブラックマトリクス１５は、基板１７上にマトリクス状に形成される。このようなブラックマトリクス１５は、基板１７上の領域を複数のセル領域に分けて、隣接するセル間の光干渉及び外部光反射を防止する。カラーフィルター層１３は、ブラックマトリクス１５によって区分されたセル領域に形成された赤色、緑色、青色のカラーフィルターＲ、Ｇ、Ｂを備えて形成される。赤色、緑色、青色のカラーフィルターＲ、Ｇ、Ｂのそれぞれは、赤色、緑色、青色の光を透過させる。
【００１１】
このような液晶表示装置に含まれる液晶分子１０は、屈折率異方性を有すると共に、視野角方向に応じてその分布状態が異なるため、液晶分子１０を透過する光が視野角方向毎に位相遅延される値が異なる。視野角に応じて位相遅延される値が異なると、視野角方向毎に輝度及びコントラスト比が異なるため、液晶表示装置の表示品質が低下される。
【００１２】
このように、視野角方向に応じた液晶分子１０の分布状態に起因する輝度及びコントラスト比の低下を改善するため、従来は、視野角に応じる位相遅延差を補償する第１補償層１１及び第２補償層１９を備えている。
【００１３】
第１補償層１１は、カラーフィルター層１３を覆うように形成され、第２補償層１９は、カラーフィルターパネル５及び上部偏光板３の間に形成される。このような第１補償層１１は、重合性液晶を硬化させることによって形成され、第２補償層１９は、主に高分子フィルムを延伸させることによって形成される。
【００１４】
一方、光は、媒質を透過する場合、各波長帯別に異なるように屈折される分散特性を有する。換言すると、光は、媒質を透過する場合、波長帯別に異なる位相遅延値を有する。従って、下部偏光板１、液晶１０、第１補償層１１、カラーフィルター層１３、第２補償層１９及び上部偏光板３等を透過した赤色、緑色、青色の光のそれぞれは、異なる値に位相遅延されることによって、液晶表示装置に適する色を示さなく、液晶表示装置の表示品質を低下させる。特に、光源から入射された光は、重合性液晶からなる第１補償層１１を透過した後、波長帯別に位相遅延差が大きくなる。これは、基本的に液晶の分散特性が大きいためである。
【００１５】
図２は、赤色、緑色、青色の光の位相をポアンカレー球（Ｐｏｉｎｃａｒｅ  ｓｐｈｅｒｅ）に示した図である。
【００１６】
図２を用いて、赤色、緑色、青色の光の位相遅延について具体的に説明する。初期光源から入射される際、Ｘ領域に示されたように同一な位相を有する赤色、緑色、青色の光は、第１補償層１１を透過する場合にそれぞれ異なる値に位相遅延され、Ｙ領域に示されたように異なる位相を有する。この際、赤色、緑色、青色の光の位相遅延値が異なるのは、下式（１）に示すように、光が波長λに応じて異なる位相遅延値Гを有するためである。
【００１７】
【数１】
2008009436.tif 000003
【００１８】
即ち、上式（１）に示すように、波長λが大きいほど位相遅延値が小さくなり、波長λが小さいほど位相遅延値が大きくなる。赤色Ｒ、緑色Ｇ、青色Ｂの波長λのそれぞれは、約６５０ｎｍ、５５０ｎｍ、４５０ｎｍであるため、図２のＹ領域に示すように、波長λの長い赤色の光は、赤色、緑色、青色の中で位相遅延値が最も小さく、波長λの短い青色の光は、赤色、緑色、青色の中で位相遅延値が最も大きい。
【００１９】
以後、Ｙ領域に示すような位相を有する赤色、緑色、青色の光は、補償層１９及び上部偏光板３を透過する場合、上式（１）と同一な原理で位相遅延され、Ｚ領域に示すように更に分散された位相を有する。
【００２０】
更に、従来の上部偏光板３の光軸は、緑色波長帯の光軸と一致するように設計されているため、緑色と異なる位相を有する赤色と青色の光は、正確に表示することができず、液晶表示装置の表示品質が低下することとなる。以下、ブラック状態を示す場合、即ち、液晶分子１０を透過した光の光軸が上部偏光板３の光軸と垂直となる場合を例に挙げて、波長帯別の位相遅延差に起因する液晶表示装置の表示品質の低下について、詳細に説明する。
【００２１】
液晶表示装置がブラック状態である場合、視野角方向から観察する際、緑色の波長を考慮して設計された上部偏光板３の光軸は、緑色の光軸と垂直となって緑色の光を遮断する。反面、前述のように、緑色の光と位相遅延される値が異なる赤色及び青色の光は、それらの光軸が上部偏光板３の光軸と正確には垂直をなさない。上部偏光板３と垂直をなさない赤色及び青色の光は、上部偏光板３を通じて漏れることとなる。赤色及び青色の光が漏れると、赤色及び青色が混合された紫・朱色の望ましくないカラーが液晶表示装置の画面に表示されることによって、液晶表示装置の表示品質が低下する。
【発明の開示】
【発明が解決しようとする課題】
【００２２】
本発明の目的は、表示品質を改善した液晶表示装置を提供することにある。
【課題を解決するための手段】
【００２３】
前記目的の達成のため、本発明に係る液晶表示装置は、基板と、前記基板の一面にマトリクス状に形成されて複数のセル領域を区画するブラックマトリクスと、前記セル領域に形成される第１厚さの赤色カラーフィルター、前記第１厚さより厚い第２厚さの緑色カラーフィルター及び第２厚さより厚い第３厚さの青色カラーフィルターを含むカラーフィルター層と、前記カラーフィルター及びブラックマトリクス上に重合性液晶をコーティングして硬化させることによって、前記基板を平坦化させる第１補償層とを含む。
【００２４】
前記第１補償層は、ポジティブＣ−プレートを含む。
【００２５】
前記赤色カラーフィルター及び前記緑色カラーフィルターの間の段差は０．１μｍ以上、０．３μｍ以下であり、前記緑色カラーフィルター及び前記青色カラーフィルターの間の段差は０．２μｍ以上、０．４μｍ以下であることが好ましい。
【００２６】
前記赤色カラーフィルターに対応する前記第１補償層の厚さは、前記緑色カラーフィルターに対応する前記第１補償層の厚さの１．１倍以上、１．３倍以下である。
【００２７】
前記青色カラーフィルターに対応する前記第１補償層の厚さは、前記緑色カラーフィルターに対応する前記第１補償層の厚さの０．７倍以上、０．９倍以下である。
【００２８】
前記赤色カラーフィルターに対応する前記第１補償層の厚さは、１．６０μｍ以上、１．７０μｍ以下である。
【００２９】
前記緑色カラーフィルターに対応する前記第１補償層の厚さは、１．３５μｍ以上、１．４５μｍ以下である。
【００３０】
前記青色カラーフィルターに対応する前記第１補償層の厚さは、１．１０μｍ以上、１．２０μｍ以下である。
【００３１】
前記基板の他面にはＡ−プレートあるいは二軸延伸フィルムのうち、いずれか１つからなる第２補償層を備える。
【００３２】
前記第２補償層上に上部偏光板を備える。
【発明の効果】
【００３３】
前述のように、本発明に係る液晶表示装置は、赤色、緑色、青色のカラーフィルター層間に段差を与えることによって、これらの上にコーティングされる第１補償層も更に段差を有するようになり、光源から入射された赤色、緑色、青色の光が段差を有する第１補償層を透過する場合、赤色、緑色、青色の波長帯別に分散される現象が減少される。
【００３４】
このように、本発明に係る液晶表示装置は、赤色、緑色、青色の波長帯別に分散される現象が減少されることによって、色特性が向上して表示品質が改善される。
【発明を実施するための最良の形態】
【００３５】
以下、本発明の好ましい実施の形態を、図３〜図５を参照して説明する。
【００３６】
液晶表示装置は、電界を用いて液晶の光透過率を調節することによって画像を表示するようになる。
【００３７】
図３は、本発明に係る液晶表示装置を概略的に示す図である。図３では、薄膜トランジスタパネル１２０についての詳細な図示は、省略した。
【００３８】
図３を参照すると、液晶表示装置は、互いに対向して合着された薄膜トランジスタパネル１２０及びカラーフィルターパネル１０５と、両パネル１２０、１０５の間に設けられる液晶空間に満たされた液晶分子１１０とを備える。
【００３９】
そして、カラーフィルターパネル１０５及び薄膜トランジスタパネル１２０の外部面には、下部偏光板１０１及び上部偏光板１０３が取り付けられる。
【００４０】
液晶表示装置の下部偏光板１０１及び上部偏光板１０３の光透過軸は、互いに直交し、下部偏光板１０１及び上部偏光板１０３のそれぞれは、自己の光透過軸と平行する光のみを透過させる。
【００４１】
薄膜トランジスタパネル１２０は、基板上に形成されたゲートライン、ゲートラインと交差して画素領域を定義するデータラインを含む。そして、画素領域には、ゲートライン及びデータラインと接続して液晶表示装置のスイッチング素子の役割をする薄膜トランジスタ、薄膜トランジスタと接続された画素電極、及び画素電極と電界を形成するための共通電極が形成される。共通電極は、共通ラインと接続される。
【００４２】
共通ラインは、画素領域を介してゲートラインと平行に形成され、液晶分子１１０の駆動のための基準電圧を共通電極に供給する。
【００４３】
薄膜トランジスタは、ゲートラインからのゲート信号に応じてデータラインからのデータ信号を画素電極に供給する。薄膜トランジスタを通じてデータ信号が供給された画素電極と、共通ラインを通じて基準電圧が供給された共通電極との間には、水平電界が形成される。このような水平電界によって、薄膜トランジスタパネル１２０とカラーフィルターパネル１０５との間に配列された液晶分子１１０は、誘電異方性によって回転される。このような液晶分子１１０の回転度合いに応じて、画素領域を透過する光透過率が異なるようになることによって、画像を表示するようになる。
【００４４】
カラーフィルターパネル１０５は、基板１１７上に順次形成されたブラックマトリクス１１５及びカラーフィルター層１１３を含む。
【００４５】
ブラックマトリクス１１５は、基板１１７上にマトリクス状に形成される。このようなブラックマトリクス１１５は、基板１１７の領域を複数のセル領域に分けて、隣接するセル間の光干渉及び外部光反射を防止する。カラーフィルター層１１３は、ブラックマトリクス１１５によって区分されたセル領域に形成された赤色、緑色、青色のカラーフィルターＲ、Ｇ、Ｂを備えて形成される。赤色、緑色、青色のカラーフィルターＲ、Ｇ、Ｂのそれぞれは、赤色、緑色、青色の光を透過させる。
【００４６】
このような液晶表示装置に含まれる液晶分子１１０は、屈折率異方性を有すると共に、視野角方向に応じてその分布状態が異なるため、液晶分子１１０を透過する光が、視野角方向毎に位相遅延される値が異なる。
【００４７】
このように、視野角に応じた液晶分子１１０の分布状態の差異に起因する位相遅延差を除去するため、本発明に係る液晶表示装置は、第１補償層１１１及び第２補償層１１９を備える。
【００４８】
第１補償層１１１は、反応性メソゲン（ｒｅａｃｔｉｖｅ  ｍｅｓｏｇｅｎ）のように、重合性液晶（ｐｏｌｙｍｅｒｉｚａｂｌｅ  ｌｉｑｕｉｄ  ｃｒｙｓｔａｌ）をコーティングして硬化させることによって形成される。このような第１補償層１１１は、ブラックマトリクス１１５及びカラーフィルター層１１３を覆うように形成され、ブラックマトリクス１１５及びカラーフィルター層１１３が形成された基板１１７を平坦化させる。換言すると、第１補償層１１１が形成されると、基板１１７から第１補償層１１１までの間隔がＤとして同一となる。また、第１補償層１１１は、屈折率異方性を有する液晶性物質から形成されるので、その屈折率異方性を用いて液晶分子１１０による位相遅延差を補償することができる。
【００４９】
第１補償層１１１は、垂直配向特性を有する重合性液晶からなり、図４Ａに示すように、ｘ軸方向の屈折率をｎｘ、ｙ軸方向の屈折率をｎｙ、ｚ軸方向の屈折率をｎｚとしたときの大きさの関係が、ｎｘ＝ｎｙ＜ｎｚであるポジティブＣ−プレート（ｐｏｓｉｔｉｖｅ  Ｃ−ｐｌａｔｅ）が適用される（ｘ軸、ｙ軸は、第１補償層１１１の面方向の軸であり、ｚ軸は、第１補償層１１１の厚さ方向の軸である）。
【００５０】
本発明に係る液晶表示装置は、カラーフィルターパネル１０５及び上部偏光板１０３の間に第２補償層１１９を更に形成することにより、第１補償層１１１と共に、液晶分子１１０による位相遅延差を補償する。
【００５１】
第２補償層１１９は、等方性物質からなる高分子フィルムを、高分子フィルムの左右延伸比率を異なるように、一定な方向に伸張処理する延伸法により加工され、その結果、高分子フィルムが屈折率異方性を有するようになる。このような屈折率異方性によって、第２補償層１１９は、第１補償層１１１と共に、液晶分子１１０による位相遅延差を補償するようになる。
【００５２】
このような第２補償層１１９には、図４Ｂに示すように、ｎｘ＞ｎｙ＝ｎｚの関係を有するＡ−プレート（Ａ−ｐｌａｔｅ）が適用されるか、あるいは図４Ｃに示すように、ｎｘ＞ｎｙ＞ｎｚの関係を有する二軸延伸フィルムが適用される。
【００５３】
第２補償層１１９は、延伸加工された高分子フィルム以外にも、液晶タイプから形成されることもできる。液晶タイプの第２補償層１１９は、屈折率異方性を有する液晶物質をコーティングして硬化させることによって形成される。
【００５４】
このように、本発明に係る液晶表示装置は、液晶分子１１０による位相遅延差を第１補償層１１１及び第２補償層１１９の組合せによって補償することができる。
【００５５】
更に、本発明は、光源から入射された光が第１補償層１１１を透過する場合に分散される現象を減少させるため、赤色、緑色、青色のカラーフィルターＲ、Ｇ、Ｂのそれぞれに対応する第１補償層１１１の厚さを異なるように形成する。赤色、緑色、青色のカラーフィルターＲ、Ｇ、Ｂのそれぞれに対応する第１補償層１１１の厚さを異なるように形成するため、本発明に係る赤色、緑色、青色のカラーフィルターＲ、Ｇ、Ｂは、互いに異なる第１厚さｄ１、第２厚さｄ２、第３厚さｄ３に形成される。第１補償層１１１は、互いに異なる第１厚さ〜第３厚さｄ１、ｄ２、ｄ３を含むカラーフィルター層１１３上にコーティングされて基板１１７を平坦化させることによって、赤色カラーフィルターＲ、緑色カラーフィルターＧ、青色カラーフィルターＢに対応する部分別に互いに異なる第４厚さ〜第６厚さｄ４、ｄ５、ｄ６に形成される。
【００５６】
第１補償層１１１の互いに異なる第４厚さ〜第６厚さｄ４、ｄ５、ｄ６について具体的に説明すると、赤色カラーフィルターＲと重畳する部分の第１補償層１１１の厚さは、第４厚さｄ４であり、Ｄ間隔と第１厚さｄ１との差と同一である（ｄ４＝Ｄ−ｄ１）。そして、緑色カラーフィルターＧと重畳する部分の第１補償層１１１の厚さは、第５厚さｄ５であり、Ｄ間隔と第２厚さｄ２との差と同一である（ｄ５＝Ｄ−ｄ２）。更に、青色カラーフィルターＢと重畳する部分の第１補償層１１１の厚さは、第６厚さｄ６であり、Ｄ間隔と第３厚さｄ３との差と同一である（ｄ６＝Ｄ−ｄ３）。
【００５７】
第１補償層１１１を透過する赤色波長、緑色波長、青色波長のそれぞれの光の分散効果を減少させるための第４厚さ〜第６厚さｄ４、ｄ５、ｄ６は、第１補償層１１１を透過する各波長帯別の位相遅延値ГＲ、ГＧ、ГＢの差異を最少化する値である。
【００５８】
第１補償層１１１を透過する赤色、緑色、青色波長の光のそれぞれの位相遅延値ГＲ、ГＧ、ГＢは、下式（２）〜（４）を満足する（下式（２）〜（４）におけるΔｎは、第１補償層１１１の屈折率である）。
【００５９】
【数２】
2008009436.tif 000004
【００６０】
上式（２）〜（４）を通じて第１補償層１１１を透過する赤色、緑色、青色波長のそれぞれの位相遅延値ГＲ、ГＧ、ГＢの差異を最少化するための第４厚さ〜第６厚さの比ｄ４：ｄ５：ｄ６は、１３：１１：９である。このように、上式（２）〜（４）を通じて第４厚さ〜第６厚さｄ４、ｄ５、ｄ６の相関関係を、第５厚さｄ５を基準として整理すると、ｄ４＝１．１８ｄ５となり、ｄ６＝０．８２ｄ５となる。第４厚さ〜第６厚さｄ４、ｄ５、ｄ６の相関関係を製造過程中の誤差を考慮して整理すると、第４厚さｄ４は、第５厚さｄ５の１．１倍以上、１．２倍以下に形成することが好ましく、第６厚さｄ６は、第５厚さｄ５の０．７倍以上、０．９倍以下に形成することが好ましい。即ち、第４厚さｄ４＞第５厚さｄ５＞第６厚さｄ６となる。従って、第１厚さ〜第３厚さｄ１、ｄ２、ｄ３の大小関係は、第１厚さｄ１＜第２厚さｄ２＜第３厚さｄ３となる。換言すると、赤色、緑色、青色波長のそれぞれの光が第１補償層１１１を透過した後、位相遅延差が最少となるためには、赤色カラーフィルターＲの厚さが最も薄くなるべきであり、青色カラーフィルターＢの厚さが最も厚くなるべきである。
【００６１】
第１補償層１１１を透過する赤色、緑色、青色波長のそれぞれの位相遅延値ГＲ、ГＧ、ГＢの差異を最少化するための第４厚さ〜第６厚さの比ｄ４：ｄ５：ｄ６の最適値を測定した結果は、下記のようである。
【００６２】
第４厚さｄ４の最適範囲は１．６０μｍ以上、１．７０μｍ以下である。第５厚さｄ５の最適範囲は１．３５μｍ以上、１．４５μｍ以下である。第６厚さｄ６の最適範囲は１．１０μｍ以上、１．２０μｍ以下である。このように測定された第４厚さ〜第６厚さｄ４、ｄ５、ｄ６の最適値に応じて、赤色カラーフィルターＲ及び緑色カラーフィルターＧの間の段差は、０．１５μｍ以上、０．２５μｍ以下である。そして、緑色カラーフィルターＧ及び青色カラーフィルターＢの間の段差は、０．２５μｍ以上、０．３５μｍ以下である。製造過程中の誤差を考慮すると、赤色カラーフィルターＲ及び緑色カラーフィルターＧの間の段差は、０．１μｍ以上、０．３μｍ以下に設定することが好ましく、緑色カラーフィルターＧ及び青色カラーフィルターＢの間の段差は、０．２μｍ以上、０．４μｍ以下に設定することが好ましい。
【００６３】
図５は、赤色、緑色、青色のそれぞれの光の位相をポアンカレー球に示した図である。
【００６４】
図５を用いて、液晶表示装置の画素を表示する赤色、緑色、青色の光のそれぞれの位相について具体的に説明する。初期光源から入射される際、Ｘ’領域に示されたように同一な位相を有する赤色、緑色、青色の光は、各波長別に位相遅延値の差異が最少となるように設計された第４厚さ〜第６厚さｄ４、ｄ５、ｄ６の第１補償層１１１を透過する場合、Ｙ’領域に示されたようにほぼ同一な位相を有する。その後、Ｙ’領域に示されたような位相を有する赤色、緑色、青色の光は、第２補償層１１９及び上部偏光板１０３を透過する場合、Ｚ’領域に示されたようにほぼ同一な位相を有することによって、赤色、緑色、青色の光の分散を最少とすることができる。このように、赤色、緑色、青色の光の分散が最少となることによって、液晶表示装置の表示品質が改善される。
【図面の簡単な説明】
【００６５】
【図１】従来の液晶表示装置の一例を概略的に示す図である。
【図２】赤色、緑色、青色の光の位相をポアンカレー球に示した図である。
【図３】本発明に係る液晶表示装置を概略的に示す図である。
【図４Ａ】第１補償層の特性を説明するための図である。
【図４Ｂ】第２補償層の特性を説明するための図である。
【図４Ｃ】第２補償層の特性を説明するための図である。
【図５】赤色、緑色、青色の光の位相をポアンカレー球に示した図である。
【符号の説明】
【００６６】
１、１０１  下部偏光板、３、１０３  上部偏光板、５、１０５  カラーフィルターパネル、１０、１１０  液晶分子、１１、１１１  第１補償層、１３、１１３  カラーフィルター層、１５、１１５  ブラックマトリクス、１７、１１７  基板、１９、１１９  第２補償層、２０、１２０  薄膜トランジスタパネル、Ｒ  赤色カラーフィルター、Ｇ  緑色カラーフィルター、Ｂ  青色カラーフィルター。
【図１】
2008009436.tif 000005
【図２】
2008009436.tif 000006
【図３】
2008009436.tif 000007
【図４Ａ】
2008009436.tif 000008
【図４Ｂ】
2008009436.tif 000009
【図４Ｃ】
2008009436.tif 000010
【図５】
2008009436.tif 000011